(57)【要約】【課題】  地震による免震効果に優れ、且つ金庫の持ち去り窃盗に於いても容易に持ち去ることのできないようになした金庫用固定フレーム台を提供することを目的とする。【解決手段】  屋内用金庫の設置に於いて、金庫本体底面部に設けた４個のキャスタに対し、各キャスタのフレーム部へＬ字型平板を取付けると共に、該Ｌ字型平板を介しキャスタの車軸部を不動状態に一体結合させ、一方床面上には幅・奥行寸法を凡そ５０ｃｍ〜７０ｃｍ程度となしたコ字形枠フレームの枠底板をアンカー固定させ、且つ該コ字形枠フレーム内へ上記金庫本体の前面側がその開放側に位置する状態で各Ｌ字型平板を固定させ、他方コ字形枠フレームの開放側前面には閉塞枠フレームを取付けしめたことを特徴とする。【選択図】      図２
0003103204.tif 000002
【実用新案登録請求の範囲】
【請求項１】
屋内用金庫の設置に於いて、金庫本体底面部に設けた４個のキャスタに対し、各キャスタのフレーム部へＬ字型平板を取付けると共に、該Ｌ字型平板を介しキャスタの車軸部を不動状態に一体結合させ、一方床面上には幅・奥行寸法を凡そ５０ｃｍ〜７０ｃｍ程度となしたコ字形枠フレームの枠底板をアンカー固定させ、且つ該コ字形枠フレーム内へ上記金庫本体の前面側がその開放側に位置する状態で各Ｌ字型平板を固定させ、他方コ字形枠フレームの開放側前面には閉塞枠フレームを取付けしめたことを特徴とする金庫用固定フレーム台。
【請求項２】
Ｌ字型平板の平面上に逆Ｕ字体などの止め金具を取付け、該止め金具とキャスタの車軸間をワイヤーで束縛させて一体結合させたことを特徴とする請求項１記載の金庫用固定フレーム台。
【請求項３】
コ字形枠フレームの高さ寸法は凡そ７ｃｍ程度であり、且つ該フレームの開放側を前面とする奧側２箇所に取付けたＬ字型平板の前面側に対し、各Ｌ字型平板を開放側から隠蔽するための仕切金具を取付けたものとなしてあることを特徴とする請求項１又は２記載の金庫用固定フレーム。
【考案の詳細な説明】
【技術分野】
【０００１】
本考案は、屋内に設置される金庫の免震及び盗難防止等の為の金庫用固定フレーム台に関する。
【背景技術】
【０００２】
従来、屋内用金庫の設置には、免震及び盗難防止対策としてＬ型金具などの補強板材を使用して金庫を固定させるものや、特開２００３−２３９６３０に示す如く床面に固定されたベースプレートへ金庫底面に設けた脚部をボルトで直接締め付けて固定するものがあった。（特許文献１）
【特許文献１】特開２００３−２３９６３０
【考案の開示】
【考案が解決しようとする課題】
【０００３】
上記従来のものでは、免震には効果を奏するものの、盗難防止には充分な効果を発揮するなすものとならない。また、近年の巧妙な窃盗手段では、短時間に盗み出しを行うことができ、防盗対策上でも大きな社会問題となっている。
【０００４】
本考案は上記問題点を解決せんとするものであって、地震による免震効果に優れ、且つ金庫の持ち去り窃盗に於いても容易に持ち去ることのできないようになした金庫用固定フレーム台を提供することを目的とする。
【課題を解決するための手段】
【０００５】
上記目的を達成するため本考案は、屋内用金庫の設置に於いて、金庫本体底面部に設けた４個のキャスタに対し、各キャスタのフレーム部へＬ字型平板を取付けると共に、該Ｌ字型平板を介しキャスタの車軸部を不動状態に一体結合させ、一方床面上には幅・奥行寸法を凡そ５０ｃｍ〜７０ｃｍ程度、高さ寸法を凡そ７ｃｍ程度となしたコ字形枠フレームの枠底板をアンカー固定させ、且つ該コ字形枠フレーム内へ上記金庫本体の前面側がその開放側に位置する状態で各Ｌ字型平板を固定させ、他方コ字形枠フレームの開放側前面には閉塞枠フレームを取付けしめることを特徴とする。
【０００６】
このさい、キャスタを不動状態にするにはＬ字型平板の平面上に逆Ｕ字体などの止め金具を取付け、該止め金具とキャスターの車軸をワイヤーで束縛させるようになすのであり、またコ字形枠フレームに於ける開放側を前面とする奧側２箇所に取付けたＬ字型平板の前面側に対し、各Ｌ字型平板を開放側から隠蔽する仕切金具を取付けたものとなしたりする。
【考案の効果】
【０００７】
以上のように構成した本考案によれば、金庫本体を床面に対し頑丈且つ強固に据え付けできるため、地震などの震動による移動や転倒などの事故防止は勿論のこと、金庫強盗に対しては窃盗者が金庫を持ち去らんと移動できるようにするまでの所要時間が多大になることから、途中で断念せざるを得なくなり、盗難事故防止が図れる上でも著効を奏するものである。
【考案を実施するための最良の形態】
【０００８】
図１は本考案に係る金庫用固定フレーム台の各部品を分離させた状態の斜視図である。１ａは幅及び奥行寸法を凡そ５０ｃｍ〜７０ｃｍ程度となした枠底板であり、該枠底板１ａの三方を一定高さｈ（凡そ７ｃｍ程度）を有する側枠板１ｂで取り囲み、前方開放のコ字形枠フレーム１を作成する。１’は上記コ字形枠フレーム１の開放側を閉塞させるための閉塞枠フレームである。
２は上記コ字形枠フレーム１の枠底板１ａに固定させるためのＬ字型平板、３は同仕切金具である。ここに、枠底板１ａ、側枠板１ｂ、閉塞枠フレーム１’、及びＬ字型平板２、並びに仕切金具３などは、一般構造用鋼板、軽量鉄板、ステンレス鋼板などが使用される。
【０００９】
図２は上記の組立斜視図であって、枠底板１ａと各側枠板１ｂは夫々れ溶接により一体化されたものとなされる。このさい、Ｌ字型平板２は後述する通り金庫の底面側キャスター箇所へ取付けるのであり、また仕切金具３は金庫の据付け後に該コ字形枠フレーム１の反開放側の奧側箇所へ取付けしめるのであり、３ａ及び３ｂ，３ｃはそのためのネジボルト及びネジ孔である。
【００１０】
而して、上記のコ字形枠フレーム１は前方の開放された状態で金庫を設置せんとする床面箇所Ｙに対し、予めアンカーボルトなどの使用により頑丈に固定させておくものとなすのであり、図示例で４ａ及び４ｂはこのために底板１ａへ打込んで固定するためのアンカーボルト及びボルト孔である。なお、図面で５ａ及び５ｂ，５ｃはＬ字型平板２を枠底板１ａに固定するためのネジボルト及びネジ孔である。
【００１１】
本考案で上記したＬ字型平板２は図３Ａ、図３Ｂに示す通り、金庫６下面のキャスター７を作動不能状態にするためのものであり、即ち図示例の通りキャスター７の支持フレーム８に対し、Ｌ字型平板２の立設フレーム２ａをネジボルト９で固定すると共に、Ｌ字型平板２の水平面上に設けた逆Ｕ字状の止め金具２ｂに対し、ワイヤー１０を使用しキャスター７の回転軸７ａを不動状態に束縛固定させるのであり、これは４箇のキャスター７夫々れに上記の如く縛り付けて固定させるものとする。上記はワイヤー１０の使用で束縛して固定させたものについて説明したが、適宜な他の手段で一体化結合させても良い。
【００１２】
上記の結合作業は金庫６の転倒状態或いはフォークリフトなどによる持上げ状態下で行うのであり、終了後は図４に示す如く床面上Ｙ上の所定位置へアンカーボルト４ａを使用して固定させたコ字形枠フレーム１に対し、その開放された箇所へ金庫６の前面が位置する状態に降下させ、その停止位置で上記各Ｌ字型平板２を枠底板１ａ内のネジ孔５ｃに対しネジボルト５ａを使用して固定させるものとなす。この固定作業はコ字形枠フレーム１の前面側が開放されており、且つ該コ字形枠フレーム１の側枠板１ｂが７ｃｍ程度の高さを有していることから、その作業は該コ字形枠フレーム１の前面側から手を差入れながら適宜スパナなどの工具を使用し、何ら支障なく行うことができるものとなる。
【００１３】
ところで、上記Ｌ字型平板２の固定は、先ず奧側の２箇所より行うのであり、該２箇所の固定が終了すると、それに続いて仕切金具３をその前面側でネジ孔３ｃにネジボルト３ａを使用して固定させ、これにより奧側２箇所のＬ字型平板２を前面の開放側から見えないようにするのであり、このあと開放前面側に於ける２箇所のＬ字型平板２を夫々れ枠底板１ａに固定させるものとする。
【００１４】
図５は上記によりコ字形枠フレーム１内に金庫６を固定させた状態の一部欠損斜視図であり、このあとは開放された前面側に対し、閉塞枠フレーム１’を差し込んで閉塞されるようになすのであり、該閉塞枠フレーム１’の固定は上記コ字形フレーム１の側枠板１ｂと部分的に当接させ、該当接箇所を側面方向から止めネジ１２を使用して固定させるものとなす。図６は上記の如くして据付け作業を完了した全体正面図である。
【００１５】
本考案は以上の如くなして金庫６を固定状態に配置するのであり、即ち金庫６のキャスター７部分はコ字形枠フレーム１及び閉塞枠フレーム１’を使用して全周囲を閉塞させた状態となされており、従って金庫６本体を前後左右の何れの方向にも直ちに移動させることができるものとならない。今若し該金庫６を移動或いは持上げんとするには、上記の各フレーム１、１’を取除く必要があるのであり、先ず持って前面側の閉塞枠フレーム１’を取外したとしても該金庫６の各キャスター７はＬ字形平板２を介しワイヤー１０で不動状態に束縛されると共に、且つ該Ｌ字型平板２は夫々れ枠床板１ａに固定されるものとなっているため、続いてこれらＬ字型平板２を枠床板１ａからの取外しする必要があり、例え前面側のＬ字型平板の取外しが終了しても奧側の取外しはその前面側に仕切金具３が障害物となって存在していることから、直接的な取除きは困難となる。即ち、余分に更なる仕切金具３の取外しを行う必要があるなど２重、３重にも手間の掛かるものとなっているのであり、まして上記作業の総てを床面上凡そ７ｃｍ程度の空間で前面側から手を差入れて行う必要から、大変困難な作業となり且つ長時間を要すること必定となる。従って、上記の構成は金庫持ち逃げ窃盗者がその運び出し作業を手間取って諦めさせるに充分な時間のものとなるのであり、盗難対策上に寄与すること大ならしめるものである。
【図面の簡単な説明】
【００１６】
【図１】本考案に係る金庫用固定フレーム台の各部品を分離させた状態の斜視図である。
【図２】本考案に係る金庫用固定フレーム台の組立斜視図である。
【図３】金庫下面のキャスターを作動不能状態にするための説明図である。
【図４】床面に固定させたコ字形枠フレーム上へ金庫を設置させるさいの状態図である。
【図５】本考案に係る字形枠フレーム内に金庫を固定させた状態の一部欠損斜視図である。
【図６】本考案に係る金庫用固定フレーム台の据付け作業を完了した全体正面図である。
【符号の説明】
【００１７】
１      金庫用固定フレーム台
１ａ    枠底板
１ｂ    側枠板
１’    閉塞枠フレーム
２      Ｌ字型平板
３      仕切金具
６      金庫
７      キャスタ
【図１】
0003103204.tif 000003
【図２】
0003103204.tif 000004
【図３】
0003103204.tif 000005
【図４】
0003103204.tif 000006
【図５】
0003103204.tif 000007
【図６】
0003103204.tif 000008